(57)【特許請求の範囲】
【請求項１】
建物の躯体壁に、一定の間隔を置いて胴縁を留め付けるために用いる胴縁留め付け部材であって、
胴縁受板と、ボルト孔部と、バネ部と、背面板とからなり、
胴縁受板と背面板は平板状で、互いに対面しており、
ボルト孔部は、胴縁受板の中心部に設けてあり、
バネ部は、胴縁受板と背面板とを連結しており、
背面板の中心部には貫通孔を有し、
胴縁受板と背面板は、バネ部をかしめて固定するフックを有する
ことを特徴とする胴縁留め付け部材。
【請求項２】
請求項１に記載の胴縁留め付け部材であって、
ボルト孔部はボルトと螺合するネジ山を有する
ことを特徴とする胴縁留め付け部材。
【請求項３】
請求項１又は２に記載の胴縁留め付け部材であって、
胴縁受板は、外縁に背面板側に折り曲がった鍔を有する
ことを特徴とする胴縁留め付け部材。
【請求項４】
請求項１〜３のいずれかに記載の胴縁留め付け部材であって、
背面板は、略円形である
ことを特徴とする胴縁留め付け部材。
【請求項５】
建物の躯体壁に、請求項１〜４のいずれかに記載の胴縁留め付け部材を用いて胴縁を留め付けた、建物の施工構造であって、
建物の躯体壁は、コンクリート壁とその外側に配された断熱材とからなり、
アンカーが、建物の躯体壁に打ち込まれており、
ボルトが、アンカーに取り付けられており、
胴縁留め付け部材は、背面板の貫通孔をボルトが貫通し、該ボルトとボルト孔部が螺合した状態で連結しており、
胴縁は、胴縁留め付け部材に連結しており、
胴縁には、外壁材が留め付けられており、
胴縁留め付け部材は、バネ部の反発により、胴縁受板が胴縁を、背面板が断熱材を押圧している
ことを特徴とする建物の施工構造。
【請求項６】
請求項５に記載の建物の施工構造であって、
胴縁の位置は、胴縁留め付け部材のボルト孔部とボルトの螺合具合により調整されている
ことを特徴とする建物の施工構造。
【発明の詳細な説明】
【技術分野】
【０００１】
本発明は、鉄筋コンクリート、プレキャストコンクリート、軽量気泡コンクリートなどのコンクリート製の建物の躯体壁に、一定の間隔を置いて胴縁を留め付けるために用いる胴縁留め付け部材及びそれを用いた施工構造に関するものである。
【背景技術】
【０００２】
従来から、コンクリート製の建物の躯体壁の外側に断熱材を配し、更にその外側に空気層を設け、該空気層を介して外壁材を取り付けることが行われている。例えば、特許文献１には、雌ネジ部と固定部とを有する補強部材が取り付けられているボルトと、コンクリート外壁に固定されるボルトによって支持されるチャンネルとからなる外装材取付具が開示されている。この補強部材は、その雌ネジ部においてボルトの雄ネジ部と螺合することができると共に、その固定部においてコンクリート外壁に固定されることができる。
【０００３】
しかし、特許文献１の外装材取付具では、断熱材をコンクリート壁に固定するために、断熱材固定プレートで別途断熱材を固定する必要があり、手間がかかる。また、経年、地震等により、断熱材固定プレートが緩み、断熱材の固定が不十分となる懸念がある。
【先行技術文献】
【特許文献】
【０００４】
【特許文献１】特開２００６−９００４５号公報
【発明の概要】
【発明が解決しようとする課題】
【０００５】
本発明は、簡易な構造で、断熱材を長期にわたって固定することができる胴縁留め付け部材及びそれを用いた施工構造を提供するものである。
【課題を解決するための手段】
【０００６】
本発明は、胴縁留め付け部材とそれを用いた建物の施工構造を提供する。
胴縁留め付け部材は、建物の躯体壁に、一定の間隔を置いて胴縁を留め付けるために用いるものであって、胴縁受板と、ボルト孔部と、バネ部と、背面板とからなる。胴縁受板と背面板は平板状で、互いに対面している。ボルト孔部は、胴縁受板の中心部に設けてある。バネ部は、胴縁受板と背面板とを連結している。背面板の中心部には貫通孔を有する。それらの特徴により、本発明の胴縁留め付け部材は、ボルトを介して建物の構造躯体に固定することができるとともに、バネ部の反発により、胴縁受板が胴縁を、背面板が断熱材を長期にわたって押圧することができる。
また、本発明の胴縁留め付け部材のボルト孔部は、ボルトと螺合するネジ山を有すると、ボルトの緩みが抑えられるので好ましい。
更に、胴縁受板は、外縁に背面板側に折り曲がった鍔を有すると、胴縁受板が高強度となるので好ましい。
更に、胴縁受板と背面板は、バネ部をかしめて固定するフックを有するので、胴縁受板と、背面板と、バネ部とが一体となり、作業が行いやすい。
更に、背面板は、略円形であると、胴縁留め付け部材を施工する際に、背面板を断熱材に押圧した状態で回転させて、胴縁受板の位置を調整することが容易になるので、好ましい。なお、略円形とは、円形及び五角形以上の多角形のことである。
また、本発明では、建物の躯体壁に、前述した胴縁留め付け部材を用いて胴縁を留め付けた建物の施工構造も提供する。本発明における建物の施工構造では、建物の躯体壁は、コンクリート壁とその外側に配された断熱材とからなり、アンカーが、建物の躯体壁に打ち込まれており、ボルトが、アンカーに取り付けられており、胴縁留め付け部材は、背面板の貫通孔をボルトが貫通し、該ボルトとボルト孔部が螺合した状態で連結しており、胴縁は、胴縁留め付け部材に連結しており、胴縁には、外壁材が留め付けられている。そして、胴縁留め付け部材は、バネ部の反発により、胴縁受板が胴縁を、背面板が断熱材を押圧している。
また、本発明の建物の施工構造においては、胴縁の位置は、胴縁留め付け部材のボルト孔部とボルトの螺合具合により調整されていると、外壁材を施工する際に不陸がなくなるので好ましい。
【発明の効果】
【０００７】
本発明によれば、簡易な構造で、断熱材を長期にわたって固定することができる胴縁留め付け部材及びそれを用いた施工構造を提供することができる。
【図面の簡単な説明】
【０００８】
【図１】図１は、本発明に係る胴縁留め付け部材の一実施例の正面図である。
【図２】図２は、図１に示す胴縁留め付け部材の右側面図である。
【図３】図３は、図１に示す胴縁留め付け部材の背面図である。
【図４】図４は、図１に示す胴縁留め付け部材を施工した状態の縦断面図である。
【図５】図５は、図１に示す胴縁留め付け部材を施工した状態の横断面図である。
【図６】図６は、本発明に係る胴縁留め付け部材の別の実施例の正面図である。
【図７】図７は、図６に示す胴縁留め付け部材の右側面図である。
【図８】図８は、図６に示す胴縁留め付け部材の背面図である。
【発明を実施するための形態】
【０００９】
本発明に係る胴縁留め付け部材及びそれを用いた施工構造の実施形態を図面を用いて説明する。
【００１０】
図１、２、３は、本発明に係る胴縁留め付け部材の一実施例の正面図、右側面図、背面図である。胴縁留め付け部材Ａ１は、胴縁受板ａ１と、ボルト孔部ｂ１と、バネ部ｃ１と、背面板ｄ１とからなる。胴縁受板ａ１と背面板ｄ１は平板状で、互いに対面している。ボルト孔部ｂ１は、胴縁受板ａ１の中心部に設けてあり、背面板ｄ１側に突出し、ボルトと螺合するネジ山を有する。バネ部ｃ１は弦巻バネ状である。胴縁受板ａ１と背面板ｄ１は、バネ部ｃ１をかしめて固定するフックｇ１１、ｇ１２を有しており、フックｇ１１、ｇ１２にバネ部ｃ１がかしめられているので、胴縁受板ａ１と背面板ｄ１は、バネ部ｃ１により連結している状態である。なお、ボルト孔部ｂ１は、バネ部ｃ１の径内に位置するよう設けられている。また、胴縁受板ａ１は、円形で、外縁に背面板ｄ１側に折り曲がった鍔ｅ１を有するので、胴縁受板ａ１は高強度である。更に、背面板ｄ１は円形であり、背面板ｄ１の中心部には、ボルトが貫通可能な大きさの貫通孔ｆ１を有する。なお、図３に示されるように、ボルト孔部ｂ１が貫通孔ｆ１から見えるよう、ボルト孔部ｂ１と貫通孔ｆ１は直線上に設けてあるので、ボルトはボルト孔部ｂ１と貫通孔ｆ１を貫通することができる。
【００１１】
図４は、図１に示す胴縁留め付け部材Ａ１を施工した状態の縦断面図であり、図５は、その横断面図である。建物の躯体壁は、コンクリート壁とその外側に配された断熱材Ｂとからなり、アンカーＣが、建物の躯体壁に打ち込まれており、ボルトＤが、アンカーＣに取り付けられている。そして、胴縁留め付け部材Ａ１は、背面板ｄ１の貫通孔ｆ１をボルトＤが貫通し、ボルトＤとボルト孔部ｂ１が螺合した状態で固定されている。胴縁Ｅは、胴縁留め付け部材Ａ１の胴縁受板ａ１に接面するとともに、ビスにより胴縁受板ａ１に固定されている。更に、胴縁Ｅには、外壁材留め付け金具Ｆが固定されており、外壁材留め付け金具Ｆにより外壁材Ｇが係止されて、建物の外壁を構築している。図４の施工構造の胴縁留め付け部材Ａ１は、胴縁受板ａ１と、ボルト孔部ｂ１と、バネ部ｃ１と、背面板ｄ１とからなるので、非常に簡易な構造である。また、図４の施工構造において、胴縁留め付け部材Ａ１は、バネ部ｃ１の反発により、胴縁受板ａ１が胴縁Ｅを、背面板ｄ１が断熱材Ｂを押圧しているので、経年、地震等により緩みにくく、断熱材Ｂを長期にわたって確実に固定することができる。更に、図４の施工構造において、胴縁Ｅの位置は、胴縁留め付け部材Ａ１のボルト孔部ｂ１とボルトＤの螺合具合により調整されているので、外壁材Ｇには不陸がない。なお、図４の施工構造において、胴縁留め付け部材Ａ１の背面板ｄ１は円形であるので、施工の際に背面板ｄ１を断熱材Ｂに押圧した状態で回転させることが容易であり、施工しやすい。また、胴縁受板ａ１と背面板ｄ１は、バネ部ｃ１をかしめて固定するフックｇ１１、ｇ１２を有しており、フックｇ１１、ｇ１２にバネ部ｃ１がかしめられているので、胴縁受板ａ１と、背面板ｄ１と、バネ部ｃ１とが一体となり、施工しやすい。
【００１２】
図６、７、８は、本発明に係る胴縁留め付け部材の別の実施例の正面図、右側面図、背面図である。胴縁留め付け部材Ａ２は、胴縁受板ａ２と、ボルト孔部ｂ２と、バネ部ｃ２と、背面板ｄ２とからなり、胴縁受板ａ２と背面板ｄ２は、バネ部ｃ２をかしめて固定するフックｇ２１、ｇ２２を有しており、背面板ｄ２には貫通孔ｆ２を有する。胴縁留め付け部材Ａ２は、胴縁受板ａ２が八角形で、鍔を有さず、ボルト孔部ｂ２が背面板ｄ２側とは反対側に突出していることと、背面板ｄ２が八角形であることが胴縁留め付け部材Ａ１とは異なるが、他は同じである。そのため、胴縁留め付け部材Ａ２も非常に簡易な構造である。また、胴縁留め付け部材Ａ２を用いても、胴縁留め付け部材Ａ１と同じように、図４、５に示した施工構造を行うことができる。そして、胴縁留め付け部材Ａ２を用いた施工構造でも、胴縁留め付け部材Ａ２のバネ部ｃ２の反発により、胴縁受板ａ２が胴縁Ｅを、背面板ｄ２が断熱材Ｂを押圧して、経年、地震等により緩みにくく、断熱材Ｂを長期にわたって確実に固定することができる。更に、胴縁Ｅの位置は、胴縁留め付け部材Ａ２のボルト孔部ｂ２とボルトＤの螺合具合により調整されているので、外壁材Ｇには不陸がない。更に、胴縁受板ａ２と背面板ｄ２は、バネ部ｃ２をかしめて固定するフックｇ２１、ｇ２２を有しており、フックｇ２１、ｇ２２にバネ部ｃ２がかしめられているので、胴縁受板ａ２と、背面板ｄ２と、バネ部ｃ２とが一体となり、施工しやすい。
【００１３】
以上に本発明の実施形態について説明したが、本発明はこれに限定されず、特許請求の範囲に記載の発明の範囲において種々の変形態を取り得る。例えば、胴縁留め付け部材において、バネ部は皿バネ形状でも良い。また、ボルト孔部は、ナット形状としても良い。
【産業上の利用可能性】
【００１４】
以上説明したように、本発明によれば、簡易な構造で、断熱材を長期にわたって固定することができる胴縁留め付け部材及びそれを用いた施工構造を提供することができる。
【符号の説明】
【００１５】
Ａ１            胴縁留め付け部材
Ｂ              断熱材
Ｃ              アンカー
Ｄ              ボルト
Ｅ              胴縁
Ｆ              外壁材留め付け金具
Ｇ              外壁材
ａ１〜ａ２      胴縁受板
ｂ１〜ｂ２      ボルト孔部
ｃ１〜ｃ２     バネ部
ｄ１〜ｄ２      背面板
ｅ１            鍔
ｆ１〜ｆ２      貫通孔
ｇ１１〜ｇ２２  フック
【図１】
0005700778.tif 000002
【図２】
0005700778.tif 000003
【図３】
0005700778.tif 000004
【図４】
0005700778.tif 000005
【図５】
0005700778.tif 000006
【図６】
0005700778.tif 000007
【図７】
0005700778.tif 000008
【図８】
0005700778.tif 000009